【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
印刷機能を有する画像形成装置と、印刷対象となる文書データから前記画像形成装置が印刷可能な印刷データを作成するデータ作成装置と、前記画像形成装置により処理される印刷データに関するデータを保存する保存装置と、がネットワークを介して通信可能な印刷システムであって、
前記データ作成装置は、
印刷対象となる文書データから前記画像形成装置が印刷可能な形式の印刷データを作成する作成手段と、
前記作成された印刷データに関するデータを前記保存装置に送信する第１の送信手段と、
を有し、
前記画像形成装置は、
前記データ作成装置が作成した印刷データの印刷に際して行われた当該印刷データに対する設定変更による設定の差分を差分データとして記録する記録手段を有し、
前記保存装置は、
前記第１の送信手段により送信された前記印刷データに関するデータと、前記記録手段により記録された前記差分データと、を関連付けて保存する保存手段を有することを特徴とする印刷システム。
【請求項２】
前記作成手段は、前記印刷データを作成する際に、当該印刷データを一意に特定する識別子を生成し、
前記印刷データに関するデータには、当該識別子が含まれることを特徴とする請求項１に記載の印刷システム。
【請求項３】
前記画像形成装置は、さらに、前記データ作成装置が作成した印刷データの印刷に際して、印刷の完了通知と前記差分データとを、前記データ作成装置に送信する第２の送信手段を有し、
前記保存手段は、前記データ作成装置を介して受信した前記差分データを、前記印刷データに関するデータに関連付けて保存することを特徴とする請求項１または２に記載の印刷システム。
【請求項４】
前記保存手段は更に、前記文書データに対するアクセス制限の有無に基づいて、前記印刷データを保存するか否かを決定することを特徴とする請求項１乃至３のいずれか一項に記載の印刷システム。
【請求項５】
前記差分データは、印刷設定、地紋設定、透かし情報、縮退情報、フォーム合成情報のうち少なくとも一つを含むことを特徴とする請求項１乃至４のいずれか一項に記載の印刷システム。
【請求項６】
画像形成装置により処理される印刷データに関するデータを保存する保存装置と通信可能なデータ作成装置であって、
印刷対象となる文書データから前記画像形成装置が印刷可能な形式の印刷データを作成する作成手段と、
前記作成された印刷データに関するデータを前記保存装置に送信する送信手段と、
前記作成された印刷データの印刷に際して、前記画像形成装置から印刷の完了通知と、当該印刷に際して行われた設定変更による設定の差分を示す差分データとを受信する受信手段と、
を有し、
前記送信手段は、前記差分データを前記保存装置に送信することを特徴とするデータ作成装置。
【請求項７】
印刷対象となる文書データから画像形成装置が印刷可能な印刷データを作成するデータ作成装置と通信可能な保存装置であって、
前記データ作成装置から受信した印刷データに関するデータを保存する保存手段を有し、
前記保存手段は、前記データ作成装置を介して受信した、前記画像形成装置において前記印刷データの印刷に際して行われた設定変更による設定の差分を示す差分データを、前記印刷データに関するデータに関連付けて保存することを特徴とする保存装置。
【請求項８】
印刷機能を有する画像形成装置と、印刷対象となる文書データから前記画像形成装置が印刷可能な印刷データを作成するデータ作成装置と、前記画像形成装置により処理される印刷データに関するデータを保存する保存装置と、がネットワークを介して通信可能な印刷システムにおける制御方法であって、
前記データ作成装置において、
印刷対象となる文書データから前記画像形成装置が印刷可能な形式の印刷データを作成する作成工程と、
前記作成された印刷データに関するデータを前記保存装置に送信する第１の送信工程と、
を有し、
前記画像形成装置において、
前記データ作成装置が作成した印刷データの印刷に際して行われた当該印刷データに対する設定変更による設定の差分を差分データとして記憶部に記録する記録工程を有し、
前記保存装置において、
前記第１の送信工程により送信された前記印刷データに関するデータと、前記記録工程により記録された前記差分データと、を関連付けて保存する保存工程を有することを特徴とする制御方法。
【請求項９】
前記作成工程において、前記印刷データを作成する際に、当該印刷データを一意に特定する識別子を生成し、
前記印刷データに関するデータには、当該識別子が含まれることを特徴とする請求項８に記載の制御方法。
【請求項１０】
前記画像形成装置において、さらに、前記データ作成装置が作成した印刷データの印刷に際して、印刷の完了通知と前記差分データとを、前記データ作成装置に送信する第２の送信工程を有し、
前記保存工程において、前記データ作成装置を介して受信した前記差分データを、前記印刷データに関するデータに関連付けて保存することを特徴とする請求項８または９に記載の制御方法。
【請求項１１】
前記保存工程において更に、前記文書データに対するアクセス制限の有無に基づいて、前記印刷データを保存するか否かを決定することを特徴とする請求項８乃至１０のいずれか一項に記載の制御方法。
【請求項１２】
前記差分データは、印刷設定、地紋設定、透かし情報、縮退情報、フォーム合成情報のうち少なくとも一つを含むことを特徴とする請求項８乃至１１のいずれか一項に記載の制御方法。
【請求項１３】
画像形成装置により処理される印刷データに関するデータを保存する保存装置と通信可能なデータ作成装置の制御方法であって、
印刷対象となる文書データから前記画像形成装置が印刷可能な形式の印刷データを作成する作成工程と、
前記作成された印刷データに関するデータを前記保存装置に送信する送信工程と、
前記作成された印刷データの印刷に際して、前記画像形成装置から印刷の完了通知と、当該印刷に際して行われた設定変更による設定の差分を示す差分データとを受信する受信工程と、
を有し、
前記送信工程において、前記差分データを前記保存装置に送信することを特徴とする制御方法。
【請求項１４】
印刷対象となる文書データから画像形成装置が印刷可能な印刷データを作成するデータ作成装置と通信可能な保存装置の制御方法であって、
前記データ作成装置から受信した印刷データに関するデータを記憶部に保存する保存工程を有し、
前記保存工程において、前記データ作成装置を介して受信した、前記画像形成装置において前記印刷データの印刷に際して行われた設定変更による設定の差分を示す差分データを、前記印刷データに関するデータに関連付けて保存することを特徴とする制御方法。
【手続補正２】
【補正対象書類名】明細書
【補正対象項目名】発明の名称
【補正方法】変更
【補正の内容】
【発明の名称】印刷システム、データ作成装置、保存装置、およびそれらの制御方法
【手続補正３】
【補正対象書類名】明細書
【補正対象項目名】０００６
【補正方法】変更
【補正の内容】
【０００６】
上記課題を解決するために、本願発明は次の構成を有する。すなわち、印刷機能を有する画像形成装置と、印刷対象となる文書データから前記画像形成装置が印刷可能な印刷データを作成するデータ作成装置と、前記画像形成装置により処理される印刷データに関するデータを保存する保存装置と、がネットワークを介して通信可能な印刷システムであって、前記データ作成装置は、印刷対象となる文書データから前記画像形成装置が印刷可能な形式の印刷データを作成する作成手段と、前記作成された印刷データに関するデータを前記保存装置に送信する第１の送信手段と、を有し、前記画像形成装置は、前記データ作成装置が作成した印刷データの印刷に際して行われた当該印刷データに対する設定変更による設定の差分を差分データとして記録する記録手段を有し、前記保存装置は、前記第１の送信手段により送信された前記印刷データに関するデータと、前記記録手段により記録された前記差分データと、を関連付けて保存する保存手段を有する。